(57)【要約】【課題】通信ができない着信側の状態を通知すること。【解決手段】サーバは、ネットワーク毎に、ネットワーク情報を記憶するネットワーク情報記憶部と、発信側のユーザ端末から着信側のユーザ端末へ送信された発呼信号を、着信側のユーザ端末へ送信できない規制ネットワークからの要求に応じて、該規制ネットワークのネットワーク情報を取得するネットワーク情報取得部と、該規制ネットワークのネットワーク情報を、発信側へ通知する制御を実行する送信制御部とを有する。【選択図】図６
2013229686.tif 000002
【特許請求の範囲】
【請求項１】
ネットワーク毎に、ネットワーク情報を記憶するネットワーク情報記憶部と、
前記ネットワーク情報記憶部から、発信側のユーザ端末から着信側のユーザ端末へ送信された発呼信号を、前記着信側のユーザ端末へ送信できない規制ネットワークからの要求に応じて、該規制ネットワークのネットワーク情報を取得するネットワーク情報取得部と、
該ネットワーク情報取得部により取得された規制ネットワークのネットワーク情報を、前記発信側へ通知する制御を実行する送信制御部と
を有する、無線通信システム。
【請求項２】
前記ネットワーク情報には、カバーするエリア情報、及びネットワーク状態のいずれか一方、又は両方が含まれる、請求項１に記載の無線通信システム。
【請求項３】
ユーザ端末毎の位置情報の履歴を記憶する位置情報記憶部と、
前記位置情報記憶部から、前記規制ネットワークからの要求に応じて、前記着信側のユーザ端末の位置情報を取得する位置情報取得部と
を有し、
前記送信制御部は、前記位置情報取得部により取得された前記着信側のユーザ端末の位置情報を、前記発信側へ通知する、請求項１又は２に記載の無線通信システム。
【請求項４】
ユーザ端末毎の位置情報の履歴を記憶する位置情報記憶部と、
前記位置情報記憶部から、発信側のユーザ端末から、着信側のユーザ端末へ送信された発呼信号を、前記着信側のユーザ端末へ送信できない規制ネットワークからの要求に応じて、前記着信側のユーザ端末の位置情報を取得する位置情報取得部と、
前記位置情報取得部により取得された前記着信側のユーザ端末の位置情報を、前記発信側へ通知する制御を実行する送信制御部と
を有する、無線通信システム。
【請求項５】
ネットワーク毎に、該ネットワーク情報を記憶するネットワーク情報記憶部と、
前記ネットワーク情報記憶部から、発信側のユーザ端末から着信側のユーザ端末へ送信された発呼信号を、前記着信側のユーザ端末へ送信できない規制ネットワークからの要求に応じて、該規制ネットワークのネットワーク情報を取得するネットワーク情報取得部と、
該ネットワーク情報取得部により取得された規制ネットワークのネットワーク情報を、前記発信側へ通知する制御を実行する送信制御部と
を有する、サーバ。
【請求項６】
ユーザ端末毎の位置情報の履歴を記憶する位置情報記憶部と、
前記位置情報記憶部から、前記規制ネットワークからの要求に応じて、前記着信側のユーザ端末の位置情報を取得する位置情報取得部と
を有し、
前記送信制御部は、前記位置情報取得部により取得された前記着信側のユーザ端末の位置情報を、前記発信側へ通知する、請求項５に記載のサーバ。
【請求項７】
ユーザ端末毎の位置情報の履歴を記憶する位置情報記憶部と、
前記位置情報記憶部から、発信側のユーザ端末から、着信側のユーザ端末へ送信された発呼信号を、前記着信側のユーザ端末へ送信できない規制ネットワークからの要求に応じて、前記着信側のユーザ端末の位置情報を取得する位置情報取得部と、
前記位置情報取得部により取得された前記着信側のユーザ端末の位置情報を、前記発信側へ通知する制御を実行する送信制御部と
を有する、サーバ。
【請求項８】
ネットワーク毎に、ネットワーク情報を記憶するネットワーク情報記憶部から、発信側のユーザ端末から着信側のユーザ端末へ送信された発呼信号を、前記着信側のユーザ端末へ送信できない規制ネットワークからの要求に応じて、該規制ネットワークのネットワーク情報を取得し、該ネットワーク情報を、前記発信側へ通知する制御を実行する、サーバの通知方法。
【請求項９】
ユーザ端末毎の位置情報の履歴を記憶する位置情報記憶部から、前記規制ネットワークからの要求に応じて、前記着信側のユーザ端末の位置情報を取得し、前記着信側のユーザ端末の位置情報を、前記発信側へ通知する、請求項８に記載のサーバの通知方法。
【請求項１０】
ユーザ端末毎の位置情報の履歴を記憶する位置情報記憶部から、発信側のユーザ端末から、着信側のユーザ端末へ送信された発呼信号を、前記着信側のユーザ端末へ送信できない規制ネットワークからの要求に応じて、前記着信側のユーザ端末の位置情報を取得し、該着信側のユーザ端末の位置情報を、前記発信側へ通知する制御を実行する、サーバの通知方法。
【発明の詳細な説明】
【技術分野】
【０００１】
本発明は、無線通信システムに関する。
【背景技術】
【０００２】
大地震などの大規模な災害が発生したときには、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となることがある。通信がつながりにくい状態となる場合、通信が規制される場合がある。通信が規制されると、通信ができなくなるため、被災地への安否確認が困難になる。通信が規制されると、発信側へ、通信が規制されていることが通知される。
【０００３】
予め基地局のエリアを自動着信規制対象エリアとして着信規制登録データベースへ登録しておき、加入者端末が該基地局の自動着信規制対象エリアに移動し、且つ該加入者端末に対して着信があった場合に自動的に着信規制とし、発信者側にその旨をアナウンスやトーン等により報告する技術が知られている（例えば、特許文献１参照）。
【０００４】
また、着信規制を行いたい場所に設置する特定無線基地局の電波到達エリアに位置している無線電話機に対する着信があった場合に、着信規制を行うと共に、発信先のユーザからのメッセージを受信して記憶する技術が知られている（例えば、特許文献２参照）。このメッセージは、無線電話機が特定無線基地局の電波到達エリアから離れた時点で、構内交換機から無線電話機に対して送出される。
【先行技術文献】
【特許文献】
【０００５】
【特許文献１】特開２００１−３４６２６３号公報
【特許文献２】特開平１１−２０５８３４号公報
【発明の概要】
【発明が解決しようとする課題】
【０００６】
ネットワーク側で、多量のトラフィックが処理されることによりネットワークが輻輳し、通信ができなくなる場合がある。
【０００７】
ネットワーク側の装置が故障することにより通信ができなくなる場合がある。
【０００８】
通信ができない相手に発信した場合には、発信者側へ、通信ができないことが通知される。該通知により発信者は、通信ができないことを知ることができるが、その原因については知ることができない。具体的には、発信側のネットワークの影響であるか、着信側のネットワークの影響であるかを知ることはできない。
【０００９】
本発明は、上述した点に鑑みてなされたものであり、通信ができない着信側の状態を通知できる技術を提供することを目的とする。
【課題を解決するための手段】
【００１０】
上記の課題を解決するために、本無線通信システムは、
ネットワーク毎に、ネットワーク情報を記憶するネットワーク情報記憶部と、
前記ネットワーク情報記憶部から、発信側のユーザ端末から着信側のユーザ端末へ送信された発呼信号を、前記着信側のユーザ端末へ送信できない規制ネットワークからの要求に応じて、該規制ネットワークのネットワーク情報を取得するネットワーク情報取得部と、
該ネットワーク情報取得部により取得された規制ネットワークのネットワーク情報を、前記発信側へ通知する制御を実行する送信制御部と
を有する、無線通信システムとして達成される。
【００１１】
前記ネットワーク情報には、カバーするエリア情報、及びネットワーク状態のいずれか一方、又は両方が含まれる、ように構成してもよい。
【００１２】
ユーザ端末毎の位置情報の履歴を記憶する位置情報記憶部と、
前記位置情報記憶部から、前記規制ネットワークからの要求に応じて、前記着信側のユーザ端末の位置情報を取得する位置情報取得部と
を有し、
前記送信制御部は、前記位置情報取得部により取得された前記着信側のユーザ端末の位置情報を、前記発信側へ通知する、ように構成してもよい。
【００１３】
本無線通信システムは、
ユーザ端末毎の位置情報の履歴を記憶する位置情報記憶部と、
前記位置情報記憶部から、発信側のユーザ端末から、着信側のユーザ端末へ送信された発呼信号を、前記着信側のユーザ端末へ送信できない規制ネットワークからの要求に応じて、前記着信側のユーザ端末の位置情報を取得する位置情報取得部と、
前記位置情報取得部により取得された前記着信側のユーザ端末の位置情報を、前記発信側へ通知する制御を実行する送信制御部と
を有する、無線通信システムとして達成される。
【００１４】
本サーバは、
ネットワーク毎に、該ネットワーク情報を記憶するネットワーク情報記憶部と、
前記ネットワーク情報記憶部から、発信側のユーザ端末から着信側のユーザ端末へ送信された発呼信号を、前記着信側のユーザ端末へ送信できない規制ネットワークからの要求に応じて、該規制ネットワークのネットワーク情報を取得するネットワーク情報取得部と、
該ネットワーク情報取得部により取得された規制ネットワークのネットワーク情報を、前記発信側へ通知する制御を実行する送信制御部と
を有する、サーバとして達成される。
【００１５】
ユーザ端末毎の位置情報の履歴を記憶する位置情報記憶部と、
前記位置情報記憶部から、前記規制ネットワークからの要求に応じて、前記着信側のユーザ端末の位置情報を取得する位置情報取得部と
を有し、
前記送信制御部は、前記位置情報取得部により取得された前記着信側のユーザ端末の位置情報を、前記発信側へ通知する、ように構成してもよい。
【００１６】
本サーバは、
ユーザ端末毎の位置情報の履歴を記憶する位置情報記憶部と、
前記位置情報記憶部から、発信側のユーザ端末から、着信側のユーザ端末へ送信された発呼信号を、前記着信側のユーザ端末へ送信できない規制ネットワークからの要求に応じて、前記着信側のユーザ端末の位置情報を取得する位置情報取得部と、
前記位置情報取得部により取得された前記着信側のユーザ端末の位置情報を、前記発信側へ通知する制御を実行する送信制御部と
を有する、サーバとして達成される。
【００１７】
また、上記サーバが実行する通知方法として構成することもできる。
【発明の効果】
【００１８】
開示の無線通信システムによれば、通信ができない着信側の状態を通知できる。
【図面の簡単な説明】
【００１９】
【図１】無線通信システムの一実施例の概要を示す図である。
【図２】無線通信システムの一実施例を示す図である。
【図３】ファイルサーバの一実施例を示す図である。
【図４】ネットワーク情報の一実施例を示す図である。
【図５】位置情報の一実施例を示す図である。
【図６】ファイルサーバの一実施例を示す機能ブロック図である。
【図７】無線通信システムの動作の一実施例を示す図である。
【発明を実施するための形態】
【００２０】
以下、図面に基づいて、実施例を説明する。
なお、実施例を説明するための全図において、同一機能を有するものは同一符号を用い、繰り返しの説明は省略する。
【００２１】
＜実施例＞
＜無線通信システム＞
図１は、ネットワーク５０ｎ（ｎは、ｎ＞０の整数）の一実施例を示す。図１には、ｎ＝３の例が示される。ｎは、１、２でもよいし、４以上であってもよい。
【００２２】
ネットワーク５０１はＡ地域の少なくとも一部をカバーし、ネットワーク５０２はＢ地域の少なくとも一部をカバーし、ネットワーク５０３はＣ地域の少なくとも一部をカバーする。ネットワーク５０２は規制され、ネットワーク５０１及び５０３は規制されていない。例えば、ネットワーク５０２において、ＰＳ回線又はＣＳ回線へのアクセス規制が行われていてもよい。セルへのアクセス規制が実行される場合、セル、交換機の両方へのアクセス規制が実行されている場合、交換機へのアクセス規制が実行されている場合のいずれかであってもよい。
【００２３】
Ａ地域に位置するユーザのユーザ端末（以下、「発信側ユーザ端末」という）から、Ｃ地域に位置するユーザのユーザ端末（以下、「着信側ユーザ端末」という）へ、発呼する。しかし、ネットワーク５０２が規制されているため、発信側ユーザ端末からの発呼は、ネットワーク５０１からネットワーク５０２へは送信されるが、ネットワーク５０３へは送信されない。従って、発信側ユーザ端末から着信側ユーザ端末へ発呼しても、着信側ユーザ端末へ着信しない。
【００２４】
図１では、ネットワーク５０１からネットワーク５０２へ、発信側ユーザ端末からの発呼が送信されるため実線で示し、ネットワーク５０２からネットワーク５０３へ、該発呼が送信されないため破線で示す。
【００２５】
ネットワークの一実施例では、発信側ユーザ端末からの発呼を受信した場合、規制により該発呼を送信できない場合には、発信側ユーザ端末へ、規制されているネットワークのネットワーク情報と、着信側ユーザ端末の位置情報等を通知する。ネットワーク情報には、ネットワーク位置情報（以下、「規制ネットワーク位置情報」という）が含まれる。いずれか一方が通知されてもよい。さらに、ネットワーク情報に、規制ネットワーク位置情報に加えて、ネットワーク状態が含まれてもよい。ネットワーク状態として、輻輳状態、規制状態、故障状態であることが通知されてもよい。規制ネットワーク位置情報として、該規制ネットワークがカバーする地域が通知されてもよい。
【００２６】
具体的には、規制されているネットワーク５０２から、規制されているネットワークのカバーする地域、着信者が居た地域と、居た日時等が通知される。
【００２７】
規制されているネットワークから、規制ネットワーク位置情報や、着信側ユーザ端末の位置情報を通知することにより、発信者は、着信者と通話ができないことに加え、規制されているネットワークの位置や、着信者ユーザ端末の位置などを把握することができる。
【００２８】
図２は、無線通信システムの一実施例を示す。
【００２９】
図２には、第１の無線通信システム（添え字「１」により表す）と、第２の無線通信システム（添え字「２」により表す）と、第３の無線通信システム（添え字「３」により表す）とが示される。
【００３０】
無線通信システムの一実施例では、無線通信システムと、カバーする地域とが一対一に対応付けられる。ある無線通信システムが複数の地域でサービスを提供していてもよいし、ある地域が複数の無線通信システムによりカバーされてもよい。地域には、県、市、町、村等が含まれるようにしてもよいが、これらに限られない。
【００３１】
例えば、第１の無線通信システムによりＡ地域がカバーされ、第２の無線通信システムによりＢ地域がカバーされ、第３の無線通信システムによりＣ地域がカバーされる。第１の無線通信システム〜第３の無線通信システムは、同じ事業者により運営されてもよいし、異なる事業者により運営されてもよい。
【００３２】
第１の無線通信システムで無線通信を行う発信側ユーザ端末１００１から、第３の無線通信システムで無線通信を行う着信側ユーザ端末１００２へ、ＣＳ回線に発呼することや、ＰＳ回線に発呼することが試みられる。具体的には、ＣＳ回線に発呼された場合には音声呼の処理が行われ、ＰＳ回線に発呼された場合ではデータ通信が行われる。
【００３３】
発信側ユーザ端末１００１、着信側ユーザ端末１００２は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００３４】
無線通信システムは、主に無線アクセス制御を行う無線アクセスネットワーク（ＲＡＮ）と、移動管理、呼制御、サービス制御等を行うコアネットワーク（ＣＮ：  Ｃｏｒｅ  Ｎｅｔｗｏｒｋ）に分類される。
【００３５】
ＲＡＮには、無線基地局（ＢＴＳ：  Ｂａｓｅ  Ｔｒａｎｓｃｅｉｖｅｒ  Ｓｔａｔｉｏｎ）２００１（２００２、２００３）が含まれる。
【００３６】
コアネットワークは、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系のサービスを提供し、ＰＳドメインはデータ通信系のサービスを提供する。
【００３７】
発信側ユーザ端末１００１、着信側ユーザ端末１００２に対して各ドメインのサービスを提供するノードとして、加入者階梯交換機（図示なし）が含まれる。
【００３８】
発信側ユーザ端末１００１、着信側ユーザ端末１００２に対して各ドメインのサービスを提供するノードとして、関門階梯交換機（図示なし）が含まれる。音声呼を処理する関門階梯交換機とパケット呼を処理する関門階梯交換機が存在する。同一の装置に実装されていてもよい。
【００３９】
図２に示される例では、加入者階梯交換機、関門階梯交換機は、交換機４００１（４００２、４００３）により表される。
【００４０】
交換機４００１、４００２、及び４００３は、無線基地局２００１、２００２、及び２００３とそれぞれ接続される。また、交換機４００１、４００２、及び４００３は、ファイルサーバ５００が接続される。発信側ユーザ端末１００１からの発呼は、交換機４００１から、交換機４００２へ送信される。しかし、交換機４００２は規制されているため、該発呼を交換機４００３へ送信することができない。この場合、交換機４００２は、ファイルサーバ５００へ、規制ネットワークのネットワーク情報と、着信側ユーザ端末１００２の位置情報を要求するための情報要求を送信する。ネットワーク情報には、規制ネットワークがカバーする位置情報と、該規制ネットワーク状態を表す情報とが含まれる。情報要求には、交換機４００２の識別子、着信側ユーザ端末１００２の識別子が含まれてもよい。
【００４１】
ファイルサーバ５００は、ネットワーク毎に、ネットワーク情報を格納する。ネットワーク情報には、該ネットワークがカバーする位置情報（エリア情報）と、該ネットワーク状態を表す情報とが含まれる。ネットワークがカバーする位置情報は、予め設定されてもよい。ネットワーク状態は、その変更の際に、ファイルサーバ５００へ設定されてもよい。また、ファイルサーバ５００は、交換機４００ｎから、ネットワーク状態を取得するようにしてもよい。また、交換機４００ｎからファイルサーバ５００へ、ネットワーク状態を通知するようにしてもよい。
【００４２】
また、ファイルサーバ５００は、ユーザ又はユーザ端末１００ｎ毎に、在圏するネットワークの履歴を格納する。ファイルサーバ５００は、交換機４００ｎから、在圏するユーザ端末１００ｎを取得するようにしてもよい。また、交換機４００ｎからファイルサーバ５００へ、在圏するユーザ端末１００ｎを通知するようにしてもよい。
【００４３】
ファイルサーバ５００は、交換機４００２からの情報要求に対して、規制ネットワークのネットワーク情報と、着信側ユーザ端末の位置情報とを応答する。
【００４４】
交換機４００２は、発信側ユーザ端末１００１へ、通信ができないことを通知するとともに、規制ネットワークのネットワーク情報と、着信側ユーザ端末の位置情報とを通知する。
【００４５】
＜ファイルサーバ＞
図３は、ファイルサーバ５００の一実施例を示す。図３には、主にハードウェア構成が示される。
【００４６】
ファイルサーバ５００は、通信部５０２と、ＣＰＵ５０４と、記憶部５０６とを有する。通信部５０２、ＣＰＵ５０４、記憶部５０６は、バス５５０により接続される。記憶部５０６には、ネットワーク情報５０６２と、位置情報５０６４とが格納される。
【００４７】
ＣＰＵ５０４は、通信部５０２、及び記憶部５０６の制御を行う。ＣＰＵ５０４は、記憶部５０６に記憶されたプログラムに従って機能し、所定の処理を行う。
【００４８】
記憶部５０６は、アプリケーションと、オペレーティングシステムとを有する。アプリケーションは、ユーザがファイルサーバ５００上で実行する作業を実施する機能を有するソフトウェアである。オペレーティングシステムは、ファイルサーバ５００において、ハードウェアを抽象化したインターフェースをアプリケーションソフトウェアに提供するソフトウェアである。
【００４９】
図４は、記憶部５０６に格納されるネットワーク情報５０６２の一実施例を示す。
【００５０】
ネットワーク情報５０６２には、ネットワークの位置情報が含まれる。具体的には、ネットワークの位置情報には、ネットワークがカバーする地域等が含まれる。
【００５１】
ネットワーク情報５０６２には、ネットワーク状態が含まれる。具体的には、ネットワーク状態には、正常状態、規制状態、輻輳状態等が含まれる。正常状態、規制状態、輻輳状態に限らず他の情報が含まれてもよい。
【００５２】
図４に示される例では、ネットワーク情報には、ネットワーク５０１の位置情報として「Ａ地域」、ネットワーク状態として「正常状態」が含まれる。さらに、ネットワーク５０２の位置情報として「Ｂ地域」、ネットワーク状態として「規制状態」が含まれる。さらに、ネットワーク５０３の位置情報として「Ｃ地域」、ネットワーク状態として「正常状態」が含まれる。
【００５３】
図５は、記憶部５０６に格納される位置情報５０６４の一実施例を示す。
【００５４】
位置情報５０６４には、ユーザ又はユーザ端末１００ｎ毎に、在圏する位置の時系列データが格納される。
【００５５】
図５に示される例では、ユーザ毎に在圏する位置の時系列データが格納される。位置情報５０６４には、「ユーザＡ」が、「○月○日の○時○分」に「Ａ地域」に居たことを表す情報が格納される。また、位置情報５０６４には、「ユーザＢ」が、「○月○日の○時○分」に「Ｂ地域」に居たことを表す情報が格納される。
【００５６】
＜ファイルサーバの機能＞
図６は、ファイルサーバ５００の機能の一実施例を示す機能ブロック図である。この機能ブロック図により表される機能は、主に、ＣＰＵ５０４により実行される。つまり、図６の機能ブロック図により表される機能は、記憶部５０６に記憶されたアプリケーションに従ってＣＰＵ５０４により実行される。
【００５７】
ＣＰＵ５０４は、ネットワーク情報取得部５０４２として機能する。ネットワーク情報取得部５０４２には、交換機４００ｎからの情報要求が、通信部５０２から入力される。ネットワーク情報取得部５０４２は、記憶部５０４に格納されたネットワーク情報５０６２から、情報要求に含まれる交換機４００ｎの識別子に対応するネットワークのネットワーク位置情報と、該ネットワーク状態を取得する。ネットワーク情報取得部５０４２は、記憶部５０４に格納されたネットワーク情報５０６２から取得したネットワークの位置情報と、該ネットワーク状態を送信制御部５０４６へ入力する。
【００５８】
ＣＰＵ５０４は、着信側ユーザ端末位置情報取得部５０４４として機能する。着信側ユーザ端末位置情報取得部５０４４には、交換機４００ｎからの情報要求が、通信部５０２から入力される。着信側ユーザ端末位置情報取得部５０４４は、記憶部５０４に格納された位置情報５０６４から、情報要求に含まれる着信側ユーザ端末の識別子に対応する位置情報と、日時を取得する。着信側ユーザ端末位置情報取得部５０４４は、記憶部５０４に格納された位置情報５０６４から取得した位置情報と、日時を送信制御部５０４６へ入力する。
【００５９】
ＣＰＵ５０４は、送信制御部５０４６として機能する。送信制御部５０４６は、ネットワーク情報取得部５０４２、着信側ユーザ端末位置情報取得部５０４４と接続される。送信制御部５０４６には、ネットワーク情報取得部５０４２から、ネットワークの位置情報と、該ネットワーク状態が入力され、着信側ユーザ端末位置情報取得部５０４４から、位置情報と、日時が入力される。送信制御部５０４６は、情報要求を送信した交換機へ、ネットワークの位置情報と、該ネットワーク状態、着信側ユーザ端末の位置情報と、日時を送信する制御を行う。
【００６０】
＜無線通信システムの動作＞
図７は、無線通信システムの動作の一実施例を示す。
【００６１】
図７に示される例では、ネットワーク５０１の配下のユーザ端末１００１から、ネットワーク５０３の配下のユーザ端末１００２へ発呼する場合について示される。
【００６２】
ネットワーク５０１及び５０３は規制状態ではないが、ネットワーク５０２は規制状態である。
【００６３】
ステップＳ７０２では、ユーザ端末１００１は、ユーザ端末１００２へ発呼する。
【００６４】
ステップＳ７０４では、ユーザ端末１００１からの発信信号は、ネットワーク５０１からネットワーク５０２へ送信される。
【００６５】
ステップＳ７０６では、ネットワーク５０２は規制状態であるため、規制ネットワークのネットワーク情報と、着信側ユーザ端末の位置情報とを取得する。具体的には、交換機４００２は、ファイルサーバ５００から、規制ネットワークのネットワーク情報と、着信側ユーザ端末の位置情報とを取得する。規制ネットワークのネットワーク情報には、該規制ネットワークのネットワーク位置情報と、該ネットワーク状態が含まれる。
【００６６】
ステップＳ７０８では、ネットワーク５０２は、ユーザ端末１００１へ、規制ネットワークのネットワーク情報と、着信側ユーザ端末の位置情報とを通知する。具体的には、交換機４００２は、ユーザ端末１００１へ、ファイルサーバ５００から取得した、規制ネットワークのネットワーク情報と、着信側ユーザ端末の位置情報とを通知する。
【００６７】
本実施例によれば、発信側ユーザ端末から着信側ユーザ端末へ発呼し、且つネットワークが規制状態であること等により通話できない場合に、発信側ユーザ端末へ、規制状態であるネットワークのネットワーク情報や、着信側ユーザ端末の位置情報が通知される。ネットワーク情報には、ネットワークの位置情報と、該ネットワーク状態が含まれる。このため、発信側ユーザ端末のユーザは、通話ができないことに加え、規制状態であるネットワークの位置情報や、該ネットワークの状態、着信側ユーザ端末の位置情報を把握することができる。ネットワークの位置情報や、該ネットワークの状態が通知されることにより、発信者は、規制されているネットワークの地域と、その状態を知ることができる。着信側ユーザ端末の位置情報が通知されることにより、発信者は、着信者が居た地域を知ることができる。
【００６８】
本実施例において、ファイルサーバ５００の機能を、交換機４００ｎが有するようにしてもよい。この場合、交換機間で、ネットワーク状態や、在圏するユーザ端末１００ｎが通知されるようにしてもよい。
【００６９】
説明の便宜上、発明の理解を促すため具体的な数値例を用いて説明されるが、特に断りのない限り、それらの数値は単なる一例に過ぎず適切な如何なる値が使用されてよい。
【００７０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【００７１】
５０１、５０２、５０３  ネットワーク
１００１、１００２  ユーザ端末
２００１、２００２、２００３  無線基地局
２５０１、２５０２、２５０３  セル
４００１、４００２、４００３  交換機
５００  ファイルサーバ
５０２  通信部
５０４  ＣＰＵ
５０６  記憶部
５０４２  ネットワーク情報取得部
５０４４  着信側ユーザ端末位置情報取得部
５０４６  送信制御部
５０６２  ネットワーク情報
５０６４  位置情報
【図１】
2013229686.tif 000003
【図２】
2013229686.tif 000004
【図３】
2013229686.tif 000005
【図４】
2013229686.tif 000006
【図５】
2013229686.tif 000007
【図６】
2013229686.tif 000008
【図７】
2013229686.tif 000009